(57)【要約】  本発明はレンズモジュールを開示し、それは台座、弾性部材、光学レンズ及び収納部材を含む。前記台座は底部及び前記底部と垂直に延伸する延伸部を含む。前記底部は前記延伸部の接合部と段差面を形成する。前記延伸部の内壁に雌ねじが形成される。前記弾性部材は前記段差面に配置される。前記収納部材は前記光学レンズを収納するために使用される。前記収納部材はねじ部及び前記ねじ部と連結する収納部を含む。前記ねじ部に雄ねじが配置される。前記雄ねじは前記雌ねじと適合する。前記雄ねじは前記雌ねじと螺合する。前記弾性部材は前記ねじ部に当接し、前記収納部材に付勢力を提供するために使用される。
2017514175.tif 000002
【特許請求の範囲】
【請求項１】
底部及び前記底部に沿って垂直に延伸する延伸部を含み、前記底部と前記延伸部との接合部に段差面が形成され、前記延伸部の内壁に雌ねじが形成される台座と、
前記段差面に配置される弾性部材と、
光学レンズと、
前記光学レンズを収納するための収納部材と
を含み、
前記収納部材は、ねじ部及び前記ねじ部と連結する収納部を含み、前記ねじ部に雄ねじが配置され、前記雄ねじは前記雌ねじと適合し、前記雄ねじと前記雌ねじとが螺合することで前記収納部材と前記台座とを螺合させ、前記弾性部材が前記ねじ部に当接し、前記収納部材に付勢力を提供する、
ことを特徴とするレンズモジュール。
【請求項２】
前記ねじ部の前記段差面に垂直する方向の高さと前記弾性部材の前記段差面に垂直する方向の高さとの和は、前記延伸部の前記段差面に沿う方向の高さより大きい、
ことを特徴とする請求項１に記載のレンズモジュール。
【請求項３】
前記底部および前記延伸部は、いずれも円環状であり、
前記延伸部は、前記底部と一体成型される、
ことを特徴とする請求項１または２に記載のレンズモジュール。
【請求項４】
前記レンズモジュールは、さらに当接部材を含み、
前記当接部材は、前記延伸部内に収納されて前記段差面に固定され、
前記当接部材は、前記光学レンズと前記段差面との間に配置される、
ことを特徴とする請求項１から３の何れか1つに記載のレンズモジュール。
【請求項５】
前記当接部材の前記段差面に垂直する方向の高さは、前記光学レンズから前記段差面までの距離に等しく、
前記当接部材における前記段差面から離れる頂面は、前記光学レンズに当接する、
ことを特徴とする請求項４に記載のレンズモジュール。
【請求項６】
前記レンズモジュールは、さらに複数のボルトを含み、
前記底部には、複数のねじ穴が開口され、
前記当接部材の外壁における前記複数のねじ穴に対応する箇所には、複数のねじ付き柱が配置され、
前記複数のボルトは、それぞれ対応するねじ穴を介して前記ねじ付き柱と螺合し、前記当接部材を前記段差面に固定させる、請求項４または５に記載のレンズモジュール。
【請求項７】
前記ねじ穴の各々の両側には、それぞれ一つの位置決め柱が配置され、
前記ねじ付き柱の各々は、二つの前記位置決め柱の間に位置決めされる、
ことを特徴とする請求項６に記載のレンズモジュール。
【請求項８】
前記当接部材は、接着剤によって前記段差面に固定される、
ことを特徴とする請求項４から７の何れか1つに記載のレンズモジュール。
【請求項９】
前記当接部材の内壁は、斜面を含み、
前記斜面の直径は、前記段差面から離れる一端から前記段差面に近い他端まで徐々に小さくなり、
前記斜面には、複数の装飾用段差が配置される、
ことを特徴とする請求項４から８の何れか1つに記載のレンズモジュール。
【請求項１０】
前記底部には、円形の第一開口部が形成され、
前記当接部材は、中空の円環状構造であり、円形の第二開口部を含み、
前記第二開口部の直径は、前記第一開口部の直径より小さく、
前記斜面の前記段差面から離れる一端の直径は、前記第二開口部の直径と前記第一開口部の直径より大きく且つ前記延伸部の内径より小さく、
前記斜面の前記段差面に近い一端の直径は、前記第二開口部の直径と前記第一開口部の直径より小さい、
ことを特徴とする請求項９に記載のレンズモジュール。
【請求項１１】
前記弾性部材は、前記延伸部の内壁に当接する、
ことを特徴とする請求項１から１０の何れか1つに記載のレンズモジュール。
【請求項１２】
前記弾性部材は、ゴムで製造される、
ことを特徴とする請求項１から１１の何れか1つに記載のレンズモジュール。
【請求項１３】
前記収納部の前記ねじ部から離れる一端には、第三開口部が開口され、
前記収納部の前記第三開口部に近い一端には、前記光学レンズを収納するための第一収納溝が開口される、
ことを特徴とする請求項１から１２の何れか1つに記載のレンズモジュール。
【請求項１４】
前記収納部の前記第三開口部に近い一端には、さらに第二収納溝が開口され、
前記第一収納溝と前記第二収納溝とが連通され、
前記レンズモジュールは、さらにワッシャーを含み、
前記ワッシャーは、前記第二収納溝内に収納されるとともに前記光学レンズに当接する、
ことを特徴とする請求項１３に記載のレンズモジュール。
【請求項１５】
前記光学レンズの厚さは、前記第一収納溝の深さに等しく、
前記ワッシャーの厚さは、前記第二収納溝の深さに等しい、
ことを特徴とする請求項１４に記載のレンズモジュール。
【請求項１６】
前記ワッシャーは、金属材料で製造され、一つの切欠が開口される、
ことを特徴とする請求項１４または１５に記載のレンズモジュール。
【請求項１７】
前記光学レンズは、フィルタである、
ことを特徴とする請求項１から１６の何れか1つに記載のレンズモジュール。
【請求項１８】
前記レンズモジュールは、無人機に配置される、
ことを特徴とする請求項１から１７の何れか1つに記載のレンズモジュール。
【発明の詳細な説明】
【技術分野】
【０００１】
本発明はレンズモジュールに関する。
【背景技術】
【０００２】
撮影技術の発展と成熟につれて、人々の撮影に対する要求は高くなりつつある。例えばＵＶレンズ、画像フィルタ、光拡散レンズ、散乱レンズ等、専門撮影の補助として、フィルタはすでにアマチュア撮影に幅広く適用される。それによって人々は便利にこれらの器材を利用し素晴らしい写真を気軽に撮ることができる。従来フィルタの固定方法は主に普通の手持ち式カメラに適用されるため、航空機器に使用されると、レンズの緩みや脱落が撮影に影響する。
【発明の概要】
【０００３】
本発明は主に振動状況下の緩みや脱落等の技術的問題を解決するためのレンズモジュールを提供する。
【０００４】
上記技術的問題を解決するために、本発明の技術的解決手段は、レンズモジュールを提供する。レンズモジュールは、底部及び前記底部に沿って垂直に延伸する延伸部を含む台座と、段差面に配置される弾性部材と、光学レンズと、前記光学レンズを収納する収納部材とを含み、前記収納部材は、ねじ部及び前記ねじ部と連結する収納部とを含み、底部は、延伸部の接合部と段差面とを形成し、延伸部の内壁に雌ねじが形成される。前記ねじ部に雄ねじが配置され、前記雄ねじは前記雌ねじと適合し、前記雄ねじと前記雌ねじとが螺合することで前記収納部材と前記台座とを螺合させ、前記弾性部材が前記ねじ部に当接するようにさせ、前記収納部材に付勢力を提供するために使用される。
【０００５】
ここで、前記ねじ部の前記段差面に垂直する方向の高さと前記弾性部材の前記段差面に垂直する方向の高さとの和は前記延伸部の前記段差面に沿う方向の高さより大きい。
【０００６】
ここで、前記底部と前記延伸部はいずれも円環状で、前記延伸部は前記底部と一体成型される。
【０００７】
ここで、前記レンズモジュールはさらに当接部材を含み、前記当接部材は前記延伸部内に収納されて前記段差面に固定され、前記当接部材は前記光学レンズと前記段差面との間に配置される。
【０００８】
ここで、前記当接部材の前記段差面に垂直する方向の高さは前記光学レンズから前記段差面までの距離に等しく、前記当接部材における前記段差面から離れる頂面は前記光学レンズに当接する。
【０００９】
ここで、前記レンズモジュールはさらに複数のボルトを含み，前記底部に複数のねじ穴が開口され、前記当接部材外壁の複数のねじ穴に対応する箇所に複数のねじ付き柱が配置され、前記複数のボルトはそれぞれ対応するねじ穴を介して前記ねじ付き柱と螺合し、前記当接部材を前記段差面に固定させる。
【００１０】
ここで、各前記ねじ穴の両側にそれぞれ一つの位置決め柱が配置され、各前記ねじ付き柱は二つの前記位置決め柱の間に位置決めされる。
【００１１】
ここで、前記当接部材は接着剤によって前記段差面に固定される。
【００１２】
ここで、前記当接部材の内壁は斜面を含み、前記斜面の直径は、前記段差面から離れる一端から前記段差面に近い他端まで徐々に小さくなり、前記斜面には複数の装飾用ねじが配置される。
【００１３】
ここで、前記底部に円形の第一開口部が形成され、前記当接部材は中空の円環状構造であり、それは円形の第二開口部を含み、前記第二開口部の直径は第一開口部の直径より小さく、前記斜面の前記段差面から離れる一端の直径は前記第二開口部の直径と第一開口部の直径より大きく且つ前記延伸部の内径より小さく、前記斜面の前記段差面に近い一端の直径は前記第二開口部の直径と前記第一開口部の直径より小さい。
【００１４】
ここで、前記弾性部材は前記延伸部の内壁に当接する。
【００１５】
ここで、前記弾性部材はゴムで製造される。
【００１６】
ここで、前記収納部の前記ねじ部から離れる一端には第三開口部が開口され、前記収納部の前記第三開口部に近い一端には第一収納溝が開口され、前記第一収納溝は前記光学レンズを収納するために使用される。
【００１７】
ここで、前記収納部の前記第三開口部に近い一端にはさらに第二収納溝が開口され、前記第一収納溝と第二収納溝とが連通され、前記レンズモジュールはさらにワッシャーを含み、前記ワッシャーは前記第二収納溝内に収納されるとともに前記光学レンズに当接する。
【００１８】
ここで、前記光学レンズの厚さは前記第一収納溝の深さに等しく、前記ワッシャーの厚さは前記第二収納溝の深さに等しい。
【００１９】
ここで、前記ワッシャーは金属材料で製造され、一つの切欠が開口される。
【００２０】
ここで、前記レンズモジュールは無人航空機に配置される。
【００２１】
ここで、前記光学レンズはフィルタである。
【００２２】
本発明の有益な効果は以下のとおりである。従来技術の状況と区別し、本発明のレンズモジュールの前記弾性部材は前記ねじ部に当接し、前記収納部材に付勢力を提供するために使用され、それによって、振動過程中の前記収納部材の緩みや脱落を防止することができる。それと同時に、前記台座の前記延伸部には雌ねじが配置されるため、前記雄めじは前記延伸部の雌ねじと螺合し、前記収納部材の体積を効果的に低減させ、生産コストを低減させる。
【図面の簡単な説明】
【００２３】
【図１】本発明実施例に係るレンズモジュールの立体的な組立概略図である。
【００２４】
【図２】図１のレンズモジュールの他視角の概略図である。
【００２５】
【図３】図１のレンズモジュールの立体的な分解概略図である。
【００２６】
【図４】図１のレンズモジュールのＩＶ−ＩＶ線に沿う断面図である。
【発明を実施するための形態】
【００２７】
次は本発明実施例の図面を参照して、本発明実施例の技術的解決手段を詳細に記述する。明らかに分かるように、記述した実施例は本発明のほんの一部だけで、全部の実施例ではない。本発明の実施例に基づいて、当業者は創造的な労働を経ない前提下に取得したほかの実施例は、いずれも本発明の保護範囲に属する。
【００２８】
図１−４を参照すると、本発明実施例に係るレンズモジュール１００は、無人航空機（図に示されず）に配置される。前記無人航空機は撮影、写真撮り、観測、サンプリングの補助装置として、空中ステーション（例えば回転翼航空機器又は固定翼飛行機）、海上ステーション（例えば潜水艦又は船舶）、路上ステーション（例えば自動車両）又は空間ステーション（例えば衛星、宇宙ステーション、又は宇宙船）等の分野に搭載されることができる。前記無人航空機は雲台及び前記雲台に搭載された搭載物を含む。前記雲台は前記搭載物の固定、前記搭載物の姿勢の自由調節（例えば：前記搭載物の高さ、傾角及び／又は方向を変えること）及び前記搭載物を確定した姿勢で安定に保持させることを実現するために使用される。前記搭載物はカメラ及びビデオカメラ等の撮影装置であり、それは前記レンズモジュール１００を含む。
【００２９】
前記レンズモジュール１００は台座１０、当接部材２０、弾性部材３０、収納部材４０、光学レンズ５０及びワッシャー６０を含む。前記当接部材２０前記および弾性部材３０は前記台座１０内に収納され、前記ワッシャー６０前記および光学レンズ５０はいずれも前記収納部材４０内に収納され、前記収納部材４０と前記台座１０とが螺合し、前記弾性部材３０に当接する。
【００３０】
前記台座１０は、中空円筒状で、円環状の底部１１及び前記底部１１に垂直延伸した延伸部１２を含む。前記延伸部１２も円環状である。本実施例では、前記延伸部１２は前記底部１１と一体成型される。前記延伸部１２の半径は前記底部１１の半径より大きいため、前記底部１１と前記延伸部１２との接合部には段差面１１０が形成される。前記底部１１には三つのねじ穴１１１が開口される。前記段差面１１０は三つの前記ねじ穴１１１と対応し、各前記ねじ穴１１１の両側にはそれぞれ一つの位置決め柱１１２が配置される。本実施例では、前記位置決め柱１１２は前記底部１１と一体成型される。前記底部１１には円形の第一開口部１１４が形成される。
【００３１】
ほかの実施例では、前記ねじ穴１１１の数は三つに限らず、需要に応じて、二つか三つ以上配置してもよい。
【００３２】
ほかの実施例では、製造コストを節約するために、六つの前記位置決め柱１１２を省略してもよい。
【００３３】
本実施例では、前記延伸部１２の内壁には雌ねじ１２０が形成される。
【００３４】
前記当接部材２０も中空の円環状構造で、それは円形の第二開口部２００を含み、本実施例では、前記第二開口部２００の直径は前記第一開口部１１４の直径より小さい。前記当接部材２０の外壁における三つの前記ねじ穴１１１と対応する箇所には三つのねじ付き柱２０１が配置される。前記当接部材２０は前記段差面１１０に取り付けられる。前記当接部材２０の内壁は斜面２０２を含み、前記斜面２０２の直径は、前記段差面から離れる一端から前記段差面に近い他端まで徐々に小さくなる。前記斜面２０２には複数の装飾用段差２０３が配置される。前記斜面２０２の前記段差面１１０から離れる一端の直径は前記第二開口部２００の直径と前記第一開口部１１４の直径より大きく、前記延伸部１２の内径より小さい。前記斜面２０２の前記段差面１１１に近い一端の直径は前記第二開口部２００の直径と前記第一開口部１１４の直径より小さい。
【００３５】
理解されるように、前記ねじ付き柱２０１の数は前記ねじ穴１１１の数と対応し、二つか三つ以上配置してよい。
【００３６】
前記弾性部材３０はゴム材料で製造され、本実施例では、前記弾性部材３０の直径は前記第一開口部１１４の直径より大きく、前記延伸部１２の内径にほぼ等しい。前記弾性部材３０は前記段差面１１０に配置され、且つ前記延伸部１２の内壁に当接する。
【００３７】
理解されるように、本実施例に限らず、前記弾性部材３０はほかの弾性材料で製造してもよい。
【００３８】
前記収納部材４０はねじ部４０１及び前記ねじ部４０１と連結する収納部４０２を含む。前記収納部材４０は前記延伸部１２と螺合する。具体的には、前記ねじ部４０１には雄ねじ４０１０が配置され、前記雄ねじ４０１０は前記雌ねじ１２０と適合する。前記ねじ部４０１の前記段差面１１０に垂直する方向の高さと前記弾性部材３０の前記段差面１１０に垂直する方向の高さとの和は、前記延伸部１２の前記段差面１１０に沿う方向の高さよりやや大きい。前記ねじ部４０１の雄ねじ４０１０は前記延伸部１２の雌ねじ１２０と螺合して、前記弾性部材３０に付勢力を提供する。本実施例の前記レンズモジュール１００は前記無人航空機に配置されるため、振動過程中の前記収納部材４０の緩みや脱落を防止することができる。
【００３９】
本実施例では、前記収納部材４０に雄ねじ４０１０を配置し、前記台座１０の前記延伸部１２に雌ねじ１２０を配置し、前記雄ねじ４０１０が前記延伸部１２の雌ねじ１２０と螺合することにより、前記収納部材４０の体積を効果的に低減させ、生産コストを低減させることができる。
【００４０】
前記収納部４０２の前記ねじ部４０１から離れる一端には第三開口部４０３が開口される。前記収納部４０２の第三開口部４０３に近い一端には第一収納溝４０２１及び第二収納溝４０２２が開口される。前記第一収納溝４０２１と前記第二収納溝４０２２とが連通する。前記第一収納溝４０２１の直径は前記第二収納溝４０２２の直径よりやや大きい。
【００４１】
本実施例では、前記光学レンズ５０はフィルタであり、前記光学レンズ５０の厚さは前記第一収納溝４０２１の深さにほぼ等しく、前記光学レンズ５０は前記第一収納溝４０２１の中に収納される。
【００４２】
前記ワッシャー６０は金属材料で製造され、本実施例では、前記ワッシャー６０はアルミニウム材料で製造される。前記ワッシャー６０を前記第二収納溝４０２２に取り付けやすいために、前記ワッシャー６０に切欠６０１を開口する。前記ワッシャー６０の厚さは前記第二収納溝４０２２の深さにほぼ等しい。前記ワッシャー６０は前記第二収納溝４０２２内に収納されるとともに前記光学レンズ５０に当接する。前記ワッシャー６０の内径は前記斜面２０２の前記段差面１１０から離れる一端の直径より大きい。
【００４３】
理解されるように、本実施例に限らず、前記ワッシャー６０はほかの金属材料を採用して製造してもよい。
【００４４】
本実施例では、前記レンズモジュール１００はさらに三つのボルト７０を含み、前記ボルト７０の数は前記ねじ付き柱２０１の数と対応する。組み立ての際には、まず前記当接部材２０を前記台座１０の前記段差面１１０に当接させ、各前記ねじ付き柱２０１を二つの前記位置決め柱１１２の間に位置決めし、各前記ねじ付き柱２０１が前記ねじ穴１１１と対応するようにさせ、次は三つの前記ボルト７０がそれぞれ対応する前記ねじ穴１１１を介して前記ねじ付き柱２０１と螺合することによって、前記当接部材２０を前記段差面１１０に固定させるとともに、前記延伸部１２内に収納させる。さらに前記弾性部材３０を前記段差面１１０に配置し、前記弾性部材３０は前記ねじ付き柱２０１と前記延伸部１２内壁との間に配置される。前記光学レンズ５０は前記第一収納溝４０２１内に配置され、前記ワッシャー６０は前記第二収納溝４０２２内に配置され、且つ前記光学レンズ５０に当接することによって、前記光学レンズ５０を前記第一収納溝４０２１内に当接するようにさせる。最後に前記収納部材４０の前記雄ねじ４０１０が前記延伸部１２の雌ねじ１２０と螺合することによって、前記収納部材４０は前記台座と螺合し、前記収納部材４０のねじ部４０１は前記弾性部材３０に当接するようにさせ、前記当接部材２０は前記光学レンズ５０と前記段差面１１０との間に配置され、且つ前記当接部材２０の前記段差面１１０に垂直する方向の高さは前記光学レンズ５０が前記段差面１１０までの距離に等しいため、従って、前記当接部材２０の前記段差面１１０から離れる頂面は前記光学レンズ５０に当接し、前記弾性部材３０は前記収納部材４０に付勢力を提供する。
【００４５】
理解されるように、本実施例に限らず、ほかの実施例では、前記当接部材２０を接着剤で直接前記段差面１１０に固定してもよい。
【００４６】
理解されるように、本実施例に限らず、実際の適用には、前記当接部材２０を省略してもよい。
【００４７】
本発明に係るレンズモジュールの前記弾性部材は前記ねじ部に当接し、前記収納部材に付勢力を提供するのに使用されるため、振動過程中前記収納部材の緩みや脱落を防止することができる。それと同時に、前記台座の前記延伸部に雌ねじが配置されるため、前記雄ねじは前記延伸部の雌ねじと螺合し、前記収納部材の体積を効果的に低減させ、生産コストを低減させることができる。
【００４８】
以上の説明は本発明の実施例だけで、それによって本発明の特許範囲に制限されるとは限らず、本発明の説明書及び付図の内容を利用して製造された同等な構造又は同等な変換工程、又は直接的又は間接的にほかの関連技術分野に適用することは、いずれも本発明に係る特許の保護範囲内に属する。
【図１】
2017514175.tif 000003
【図２】
2017514175.tif 000004
【図３】
2017514175.tif 000005
【図４】
2017514175.tif 000006
【国際調査報告】
2017514175.tif 000007
2017514175.tif 000008
2017514175.tif 000009
2017514175.tif 000010